(57)【要約】      （修正有）【課題】高周波数、高品質係数の共振器の振動を維持するための堅牢な自己起動式脱進機機構を作成する。【解決手段】最適化された磁気機械式計時器脱進機機構。発振器は、弾性復帰手段によって戻される慣性質量を有し、おのおの磁石２３を備えられたガンギ車２０の歯２２と協働する入口アンクルＰＥおよび出口アンクルＰＳを運ぶ、共振器を備え、各アンクルＰＥ；ＰＳは、共振器の振動軸ＯＲを中心とし、第１の磁気障壁領域を定義する環状セクタを備えた磁気配置３０を含み、第１の磁気障壁領域は、磁気シリンダ脱進機機構を形成するために、補助アーク中に、歯２２の支持として機能するこの機械式アンクルストーンの全長にわたって、入口アンクルＰＥまたは出口アンクルＰＳの機械式アンクルストーンの上方および／または下方に延びる。【選択図】図２３
2020046426.tif 000002
【特許請求の範囲】
【請求項１】
固定構造（３）に対して弾性復帰手段（２）によって戻される慣性質量（１）を備えた、少なくとも１つの共振器（１００）を含む計時器発振器（３００）であって、前記共振器（１００）は振動軸（ＯＲ）の周りで振動し、前記慣性質量（１）は入口アンクル（ＰＥ）および出口アンクル（ＰＳ）を運び、前記発振器（３００）は、回転軸（ＯＥ）の周りを回転するように配置されたガンギ車（２０）を含み、おのおのは前記入口アンクル（ＰＥ）または前記出口アンクル（ＰＳ）と協働して前記共振器（１００）の振動を維持するように配置された端歯（２２）を含む脱進機機構（２００）を備え、前記脱進機機構（２００）は、磁気機械式脱進機であり、前記ガンギ車（２０）は、前記各歯（２２）の端部において、少なくとも１つの磁石（２３）を含み、前記歯（２２）は、前記入口アンクルと前記出口アンクル（ＰＥ；ＰＳ）と交互に動作するように配置され、前記入口アンクル（ＰＥ）は、第１の磁気配置（３０）を含み、前記出口アンクル（ＰＳ）は、第２の磁気配置（３０）を含み、前記第１の磁気配置（３０）および前記第２の磁気配置３０（３０）はおのおの、前記共振器（１００）の前記振動軸（ＯＲ）を中心とし、第１の磁気障壁領域（Ｚ１）を定義する環状セクタを含み、前記第１の磁気障壁領域（Ｚ１）は、磁気シリンダ脱進機機構を形成するために、補助アーク中に、前記歯（２２）の支持として機能することができる機械式アンクルストーンの全長にわたって、前記振動軸（ＯＲ）の方向に関して、前記入口アンクル（ＰＥ）または前記出口アンクル（ＰＳ）の前記機械式アンクルストーン（１６）の上方および／または下方に延びることを特徴とする、計時器発振器（３００）。
【請求項２】
前記第１の磁気配置（３０）および／または前記第２の磁気配置（３０）は、自己起動機能を改善するために、前記入口アンクル（ＰＥ）および／または前記出口アンクル（ＰＳ）において、少なくとも１つの磁石を含み、第２の自己起動改善領域（Ｚ２）へ延び、前記車（２０）の前記回転軸（ＯＥ）を中心とする環状セクタであって、前記入口アンクル（ＰＥ）に関し、前記車（２０）に接し、前記入口アンクル（ＰＥ）の前記機械式アンクルストーン（１６）の上方および／または下方を通過する実質的に入口の接線方向（Ｄ２＋、Ｄ２−）に、および／または、前記入口アンクル（ＰＥ）および／または前記出口アンクル（ＰＳ）の端部に備えられた少なくとも１つの衝撃面を覆うために、前記振動軸（ＯＲ）の方向に関して、前記出口アンクル（ＰＳ）に関し、前記車（２０）に接し、前記出口アンクル（ＰＳ）の前記機械式アンクルストーンの上方および／または下方を通過する実質的に出口の接線方向（Ｄ４＋、Ｄ４−）に延びる、少なくとも１つの磁気パッド（３２）を含むことを特徴とする、請求項１に記載の発振器（３００）。
【請求項３】
前記磁気パッド（３２）は、磁気障壁（３１）から、前記車（２０）へ接する方向に延び、磁気テール部（３３）によって、前記車（２０）の回転方向に進み、前記磁気テール部（３３）は、実質的に、前記磁気パッド（３２）と整列し、接線方向に動かす傾向にある力を、前記車（２０）の前記磁石へ適用するように配置され、前記ガンギ車（２０）の側における前記アンクルの遠位端における摩擦力と格闘するために配置されたことを特徴とする、請求項２に記載の発振器（３００）。
【請求項４】
前記磁気テール部（３３）は、前記磁気パッド（３２）から離れるにつれて、前記車（２０）の前記回転軸（ＯＥ）からの半径が増加するように配置されたことを特徴とする、請求項３に記載の発振器（３００）。
【請求項５】
前記磁気テール部（３３）は、減少するステップのセットで作成されることを特徴とする、請求項３に記載の発振器（３００）。
【請求項６】
前記磁気パッド（３２）の、および前記磁気パッド（３２）を延長する任意の磁気テール部（３３）の総曲線長さは、前記ガンギ車（２０）の前記歯（２２）の軌道の包絡線を定義する円（ＣＥ）上の前記歯（２２）の端部の半ピッチに近いことを特徴とする、請求項２に記載の発振器（３００）。
【請求項７】
第１の衝撃を与えるために、前記磁気パッド（３２）の前記長さは、前記磁気テール部（３３）のものよりも大きいことを特徴とする、請求項３に記載の発振器（３００）。
【請求項８】
前記磁気パッド（３２）および前記磁気テール部（３３）は、配置されている曲線状のアーク上に、連続的な磁場を定義するように配置されたことを特徴とする、請求項３に記載の発振器（３００）。
【請求項９】
前記磁気パッド（３２）は、磁気障壁（３１）の反対側の遠位端において、前記ガンギ車（２０）の反対側に磁気ラグを含み、前記第２の自己起動改善領域（Ｚ２）を拡張することを特徴とする、請求項２に記載の発振器（３００）。
【請求項１０】
前記磁気配置（３０）は、第３の等時性補正領域（Ｚ３）を含み、前記入口アンクル（ＰＥ）または前記出口アンクル（ＰＳ）の前記機械式アンクルストーンの上方および／または下方において、前記振動軸（ＯＲ）の方向に関して、前記補助アーク中に、前記アンクルにおいて静止している前記車（２０）の前記磁石（２３）を覆うために、前記第３の等時性補正領域（Ｚ３）は、前記第１の磁気障壁領域（Ｚ１）の上流にある前記車（２０）の前記歯（２２）の観点から、前記ガンギ車（２０）の前記回転軸（ＯＥ）に対して、前記アンクルストーン（１６）の遠位端を超えて、入口において、前記車（２０）の回転方向と反対側の入口の接線方向（Ｄ２−）で、および、前記車（２０）の回転中心（ＯＥ）から離れると、入口の半径方向（Ｄ１−）で、出口において、前記車（２０）の回転方向と反対側の出口の接線方向（Ｄ４−）で、および、前記車（２０）の回転中心（ＯＥ）から離れると、出口の半径方向（Ｄ３−）で延びることを特徴とする、請求項１に記載の発振器（３００）。
【請求項１１】
前記第３の領域（Ｚ３）は、前記第１の磁気障壁領域（Ｚ１）を用いて前記第３の等時性補正領域（Ｚ３）を区切る第２の自己起動改善領域（Ｚ２）を超えて、前記ガンギ車（２０）の前記回転軸（ＯＥ）に対して配置されることを特徴とする、請求項１０に記載の発振器（３００）。
【請求項１２】
前記第３の領域（Ｚ３）は、前記磁気配置（３０）の他の磁気的な相互作用の領域よりも低い磁気的な相互作用の、前記磁石（２３）との弱い磁気的な引力または反発力の相互作用の領域であることを特徴とする、請求項１０に記載の発振器（３００）。
【請求項１３】
前記第３の領域（Ｚ３）は、前記補助アーク中、前記磁石（２３）と、磁気による引力的また反発的な相互作用をする鉄または磁石を含むことを特徴とする、請求項１０に記載の発振器（３００）。
【請求項１４】
静止位置に対して、前記慣性質量（１）の角度にしたがって可変である、前記磁石との磁気的な相互作用を表すために、面単位毎の鉄または磁石の平均量は、前記車（２０）に接する方向において一定であり、前記アンクルに接する方向において変動することを特徴とする、請求項１３に記載の発振器（３００）。
【請求項１５】
前記第３の領域（Ｚ３）は、完全な前記発振器（３００）の等時性を回復するために、前記発振器（３００）の非等時性の測定の結果にしたがって、少なくとも部分的に選択的に除去されるように配置された、犠牲的な超過量の鉄または磁石を含むことを特徴とする、請求項１０に記載の発振器（３００）。
【請求項１６】
前記慣性質量（１）は、少なくとも１つのてん輪を含むことを特徴とする、請求項１に記載の発振器（３００）。
【請求項１７】
請求項１に記載の少なくとも１つの発振器（３００）を含む計時器ムーブメント（５００）。
【請求項１８】
請求項１７に記載の少なくとも１つのムーブメント（５００）、および／または、請求項１に記載の少なくとも１つの発振器（３００）を含む腕時計（１０００）。
【発明の詳細な説明】
【技術分野】
【０００１】
本発明は、固定構造に対して弾性復帰手段によって戻される慣性質量を備えた、少なくとも１つの共振器を含む計時器発振器に関し、前記共振器は振動軸の周りで振動し、前記慣性質量は入口アンクルおよび出口アンクルを運び、前記発振器は、回転軸の周りを回転するように配置されたガンギ車を含み、おのおのは前記入口アンクルまたは前記出口アンクルと協働して前記共振器機構の振動を維持するように配置された端歯を含む、脱進機機構を備える。
【０００２】
本発明はまた、少なくとも１つのそのような発振器を備えた計時器ムーブメントに関する。
【０００３】
本発明はまた、少なくとも１つのそのような計時器ムーブメントおよび／または少なくとも１つのそのような発振器を含む腕時計に関する。
【０００４】
本発明は、計時器発振器機構の分野に関する。
【背景技術】
【０００５】
たわみ軸受の使用により、たとえば、ＴＨＥ  ＳＷＡＴＣＨ  ＧＲＯＵＰ  ＲＥＳＥＡＲＣＨ＆ＤＥＶＥＬＯＰＭＥＮＴ名義の欧州特許出願ＥＰ２９０８１８４号、ＥＰ２９０８１８５号、ＥＰ３０３５１２６号、ＥＰ３０３５１２７号、ＮＩＶＡＲＯＸ−ＦＡＲ名義のＥＰ２８９１９２９号、ＥＴＡ名義のＥＰ３０５４３５７号、ＣＳＥＭ名義のＥＰ２９１１０１２号、ＡＵＤＥＭＡＲＳ  ＰＩＧＵＥＴ名義のＥＰ３１８２２１４号、およびＬＶＭＨ名義のＷＯ２０１７１５７８７０号におけるように、高い品質係数を有する高周波共振器を作成することが可能となる。
【０００６】
摩擦のない磁気脱進機は、ＴＨＥ  ＳＷＡＴＣＨ  ＧＲＯＵＰ  ＲＥＳＥＡＲＣＨ＆ＤＥＶＥＬＯＰＭＥＮＴ名義の特許出願ＥＰ１４１９９９８８２．３号、または、ＤＩ  ＤＯＭＥＮＩＣＯ名義のＵＳ９７１５２１７号に説明されるように、高い効率を得ることができるため、このタイプの共振器の振動を維持するのに非常に適している。振動の分離を防止する機械式デバイスの追加は、ＴＨＥ  ＳＷＡＴＣＨ  ＧＲＯＵＰ  ＲＥＳＥＡＲＣＨ＆ＤＥＶＥＬＯＰＭＥＮＴ名義の欧州特許出願ＥＰ１６１９５４０５．２号におけるように、摩耗時の堅牢性を確保するが、自己起動機能を困難にする。
【０００７】
ＮＩＶＡＲＯＸ−ＦＡＲ名義の欧州特許ＥＰ２８８９７０４Ｂ１号は、公称モーメントよりも低いモーメントの枢動トルクを受けるガンギ車は、調整ホイールセットの少なくとも第１のトラック、特に円筒形トラックと直接的に協働するようにおのおの配置され、その周囲に規則的に分配されたアクチュエータを含む、脱進機機構を開示している。各アクチュエータは、障壁を形成し、磁気的に帯電または強磁性であるこの第１のトラックと協働して、公称モーメントよりも大きなモーメントのトルクを第１のトラックに及ぼす第１の磁気拘束手段を含む。各アクチュエータはさらに、調整ホイールセットに備えられた少なくとも第１の補完的な停止面を備えた自律脱進機機構を構成するように配置された、移動終了停止部を形成するように配置された第２の拘束手段を含む。
【０００８】
高効率磁気脱進機と、自己起動機能および安全機能を備えた機械式脱進機とを組み合わせる一般的な提案は、ＮＩＶＡＲＯＸ−ＦＡＲ名義の欧州特許出願ＥＰ２８９４５２２号に開示されている。
【先行技術文献】
【特許文献】
【０００９】
【特許文献１】欧州特許出願ＥＰ２９０８１８４号公報
【特許文献２】欧州特許出願ＥＰ２９０８１８５号公報
【特許文献３】欧州特許出願ＥＰ３０３５１２６号公報
【特許文献４】欧州特許出願ＥＰ３０３５１２７号公報
【特許文献５】欧州特許出願ＥＰ２８９１９２９号公報
【特許文献６】欧州特許出願ＥＰ３０５４３５７号公報
【特許文献７】欧州特許出願ＥＰ２９１１０１２号公報
【特許文献８】欧州特許出願ＥＰ３１８２２１４号公報
【特許文献９】国際特許出願ＷＯ２０１７１５７８７０号公報
【特許文献１０】欧州特許ＥＰ１４１９９９８８２．３号明細書
【特許文献１１】米国特許ＵＳ９７１５２１７号明細書
【特許文献１２】欧州特許ＥＰ１６１９５４０５．２号明細書
【特許文献１３】欧州特許ＥＰ２８８９７０４Ｂ１号明細書
【特許文献１４】欧州特許出願ＥＰ２８９４５２２号公報
【特許文献１５】スイス特許出願ＣＨ００５１８／１８号公報
【特許文献１６】スイス特許出願ＣＨ００５４０／１８号公報
【発明の概要】
【発明が解決しようとする課題】
【００１０】
本発明は、高周波数、高品質係数の共振器の振動を維持するための堅牢な自己起動式脱進機機構を作成することを提案する。
【００１１】
この目的のために、本発明は、請求項１に記載の計時器発振器機構に関する。
【００１２】
本発明はまた、少なくとも１つのそのような発振器を備えた計時器ムーブメントに関する。
【００１３】
本発明はまた、少なくとも１つのそのような計時器ムーブメントおよび／または少なくとも１つのそのような発振器を含む腕時計に関する。
【課題を解決するための手段】
【００１４】
本発明の他の特徴および利点は、添付の図面を参照して以下の詳細な説明を読むと明らかになるであろう。
【図面の簡単な説明】
【００１５】
【図１】図１は、磁気機械式脱進機によって維持される可撓性ストリップを備えたてん輪を含む発振器の概略上面図である。
【図２】図２は、図１の発振器の概略斜視図である。
【図３】図３は、図１と同様に、本発明による磁気機械式脱進機機構の特定の形状を示す図である。
【図４】図４は、図３のガンギ車によって運ばれる磁石と、図３の共振器に備えられたアンクルとの間の反発的な相互作用の、図１から図３の平面に垂直な平面に沿った概略断面図である。
【図５】図５から図１０のおのおのは、図３と同様に、出口アンクルの脱進機の動作のシーケンスにおけるステップを開示し、図５は、摩擦のない補助アークを示す図である。
【図６】図６は、入口アンクルにおけるロック解除を示す図である。
【図７】図７は、ガンギ車の前進と出口アンクルにおける衝撃を示す図である。
【図８】図８は、出口アンクルにおける衝突を示す図である。
【図９】図９は、ガンギ車のわずかな反動を示す図である。
【図１０】図１０は、摩擦のない補助アークを示す図である。
【図１１】図１１から図１６のおのおのは、図５から図１０と同様に、入口アンクル上の脱進機の動作のシーケンスにおけるステップを記述しており、図１１は、摩擦のない補助アークを示す図である。
【図１２】図１２は、出口アンクルにおけるロック解除を示す図である。
【図１３】図１３は、ガンギ車の前進と入口アンクルにおける衝撃を示す図である。
【図１４】図１４は、入口アンクルにおける衝突を示す図である。
【図１５】図１５は、ガンギ車のわずかな反動を示す図である。
【図１６】図１６は、摩擦のない補助アークを示す図である。
【図１７】図１７は、図３と同様に、共振器基準フレームにおけるガンギ車磁石の軌道を表す図である。
【図１８】図１８は、図３と同様に、磁気入口アンクルの機械式機能領域を表す図である。
【図１９】図１９は、図３と同様に、磁気入口アンクルの機械式機能領域を表す図である。
【図２０】図２０は、図３と同様に、磁気出口アンクルの機械式機能領域を表す図である。
【図２１】図２１は、図３と同様に、磁気出口アンクルの機械式機能領域を表す図である。
【図２２】図２２は、図３と同様に、安全機能、深さ、磁気パッド、および自己起動機能を表す図である。
【図２３】図２３は、図３と同様に、等時性補正器の変形例を表す図である。
【図２４】図２４は、図２３と同様に、等時性補正器の別の変形例を表す図である。
【図２５】図２５は、図３と同様に、共振器の軸を中心とし、共振器の入口アンクルおよび出口アンクルの磁気障壁が続く第１の円と、脱進機軸を中心とするガンギ車の第２の包絡円との間の交点によって定義される入口点および出口点を表す概略図であり、この入口点および出口点において共振器の入口アンクルおよび出口アンクルはそれぞれ移動し、この入口点およびこの出口点において、この第１の円およびこの第２の円への接線に向かう基本方向の定義を示す図である。
【図２６】図２６は、本発明による磁気機械式脱進機によって振動が維持される可撓性ストリップを有するてん輪を備えた発振器を備えるムーブメントを含む腕時計を表すブロック図である。
【発明を実施するための形態】
【００１６】
本発明は、振動の分離を防止する機能を備えた、高周波数および高品質係数の共振器の振動を維持するための堅牢な自己起動式脱進機機構を作成することを提案する。
【００１７】
本発明は、高効率、優れた堅牢性、および自己起動の利点を組み合わせているＮＩＶＡＲＯＸ−ＦＡＲ名義の欧州特許出願ＥＰ２８９４５２２号に記載されているような磁気機械式脱進機の実用的応用である。
【００１８】
ＮＩＶＡＲＯＸ−ＦＡＲ名義の欧州特許ＥＰ２８８９７０４Ｂ１号におけるように、本発明は、大幅に改善された効率で、特に衝撃後の過度のトルクの場合に安全性を確保するという利点を有するが、その高い摩擦レベルは、脱進機の効率を著しく損なう機械式シリンダ脱進機の原理を応用する。効率の改善は、慎重に配置された場合に、磁気的または静電的な反発力を形成する磁石またはエレクトレットなどを配置することにより、シリンダ脱進機における接触および摩擦をなくすとの結果から得られ、これは、摩擦、したがって、この機械式シリンダ脱進機の主な欠陥をなくす。ガンギ車に配置された磁石などは、非接触停止部材として機能する。衝撃が発生したときのガンギ車のレースを防止するために、機械的な停止部材が追加される。
【００１９】
本発明は、特に磁気の代替案で説明される。当業者は、前述の先行技術において、本発明を、静電型または磁気／静電の混合型に応用する手段を発見するであろう。
【００２０】
完全な発振器３００は、少なくとも１つの共振器１００、特に、プレート等に固定されることを目的とする固定構造３から直接的または間接的に吊り下げられた少なくとも１つの慣性質量１、特にてん輪を有する共振器に限定されない。この少なくとも１つの慣性質量１は、弾性復帰手段によって復帰される。特定の実施形態では、これらの弾性復帰手段は、図１および図２に見られるように、可撓性ストリップ２を含み、共振器１００の振動は、磁気機械式脱進機機構２００によって維持される。他の例示されていない変形例では、これらの弾性復帰手段は、少なくとも１つのヒゲゼンマイなどを含むことができる。
【００２１】
少なくとも１つの慣性質量１は、入口アンクルＰＥおよび出口アンクルＰＳを運ぶ。
【００２２】
発振器３００は、脱進機機構２００を含む。脱進機機構２００は、断続的に動作する機構であり、従来方式では、回転軸ＯＥの周りを回転するように配置された少なくとも１つのガンギ車２０を含み、これは、入口アンクルＰＥおよび出口アンクルＰＳと交互に相互作用するように配置された機械式端歯２２を備えたアーム２１を含む。これらの歯２２のおのおのは、入口アンクルＰＥまたは出口アンクルＰＳと協働して共振器１００の振動を維持するように配置されている。
【００２３】
本発明によれば、この脱進機機構２００は磁気機械式脱進機である。ガンギ車２０は、各歯２２の端部に少なくとも１つの磁石２３を含む。これらの歯２２は、共振器１００の補助アーク中に各入口アンクルＰＥまたは出口アンクルＰＳに備えられた機械式アンクルストーン１６上に載るように配置される。入口アンクルＰＥは第１の磁気配置３０を含み、出口アンクルＰＳは第２の磁気配置３０を含む。この第１の磁気配置３０およびこの第２の磁気配置３０はおのおの、共振器１００の振動軸ＯＲを中心とし、第１の磁気障壁領域Ｚ１を定義する環状セクタを含む。この第１の磁気障壁領域Ｚ１は、磁気シリンダ脱進機機構を形成するために、補助アーク中に、歯２２の支持として機能することができるこの機械式アンクルストーンの全長にわたって、振動軸ＯＲの方向に関して、機械式アンクルストーン１６の上方および／または下方に延びる。
【００２４】
例示された特定の非限定的な変形例では、そのような慣性質量１は、慣性ブロック１０１を含む、特にチタン合金で作成されたてん輪１１を備える。この慣性質量１は、シリコンまたはシリコンおよび二酸化シリコンなどで作成された、おのおの可撓性ストリップ２を含む２つのプレート１２、１３に固定されている。ここに示されている２つの可撓性ストリップ２は、実質的に慣性質量１の振動軸ＯＲ上の投影において交差する。てん輪１１に固定された端部とは反対の２つのプレートの端部は、単一の質量４または２つの別個の質量４を形成し、おのおのは横方向の可撓性ストリップ７および／または少なくとも１つの剛性ビーム６によって、それ自体は長手方向の可撓性ストリップ８および／または少なくとも１つの剛性ビーム９によって固定構造３に懸架されている中間体５に懸架される。この特定の配置は、可撓性ストリップ２によって形成されるたわみ枢軸を保護するための効果的な耐衝撃テーブルを形成する。
【００２５】
共振器ストリップを保護することを意図されたそのような耐衝撃デバイスは、特に、ＥＴＡ名義のスイス特許出願ＣＨ００５１８／１８号およびＴＨＥ  ＳＷＡＴＣＨ  ＧＲＯＵＰ  ＲＥＳＥＡＲＣＨ＆ＤＥＶＥＬＯＰＭＥＮＴ名義のＣＨ００５４０／１８号に記載されている。有利には、これらのデバイスは、共振器１００の慣性質量１、特にてん輪１１が、衝撃の場合に動くことを可能にする変換テーブルと、枢軸のストリップに作用することなく、前記質量を保持するために、この慣性質量の回転軸を中心とする停止部材とを含む。これらの停止部材は図では見えておらず、プレートまたはバーに取り付けられたピンで構成され得、一方のピンは、慣性質量１における上部ボア１８との遊びと係合し、衝撃の場合にその変位を制限する上部ピンであり、他方のピンは、慣性質量１における下部ボア１９との遊びと係合し、衝撃の場合にその変位を制限する下部ピンである。図２では、このボア１９は、慣性質量１と一体の機械式アンクルストーン１６を囲む上部フランジ１５および下部フランジ１７の両方を通過する。
【００２６】
したがって、共振器１００は、おのおのは共振器１００の振動中にガンギ車２０と協働することができる入口アンクルＰＥおよび出口アンクルＰＳを備えた停止デバイスを含む。これらの入口アンクルＰＥおよび出口アンクルＰＳは、別個であるか、またはワンピースアセンブリを形成することができ、おのおのは慣性質量１に固定されるように配置され、各アンクルＰＥ、ＰＳの遠位端は、車２０の歯２２と協働するように配置される。各アンクルＰＥ、ＰＳは、歯２２との機械的な接触のために配置された機械式アンクルストーン１６を含み、この機械式アンクルストーン１６は、必ずしもではないが、有利には、ガンギ車２０の側面において、関連するアンクルの遠位端の衝撃面で終わる。
【００２７】
本発明によれば、少なくとも１つのガンギ車２０は、各歯２２の端部に少なくとも１つの磁石２３を含む。また、発振器３００は、入口アンクルＰＥ用の第１の磁気配置３０と、出口アンクルＰＳ用の第２の磁気配置３０とを含み、これらは以下に示すように必ずしも同一ではない。各磁気配置３０は、アンクル上に置かれるように配置されるか、または、少なくとも上部フランジ１５および／または下部フランジ１７上に、機械式アンクルストーン１６を囲み、それぞれガンギ車２０の上方または下方に配置されるアンクルの一体部分を形成し、これら上方または下方の配置は、共振器１００の振動軸ＯＲの方向、およびそれに平行なガンギ車２０の回転軸ＯＥの方向を指す。
【００２８】
要するに、入口アンクルＰＥまたは出口アンクルＰＳは、車２０の歯２２と協働するように配置された機械式アンクルストーン１６と、その磁場効果が機械式アンクルストーン１６の潜在的な機械的相互作用面と重なる磁気配置３０とを含む。この磁気配置３０は、異なる面、特に、機械式アンクルストーン１６の面、より具体的には、車２０の歯２２との機械的相互作用の領域の端部において、またはその領域を超えて形成され得る。より詳細には、少なくとも１つのそのような磁気配置３０は、入口アンクルＰＥまたは出口アンクルＰＳの一方の上部フランジ１５および／または下部フランジ１７の下に配置される。より具体的には、少なくとも１つのそのような磁気配置３０は、入口アンクルＰＥまたは出口アンクルＰＳの一方の上部フランジ１５の下および下部フランジ１７の上に配置される。さらに詳細には、このような磁気配置３０は、入口アンクルＰＥまたは出口アンクルＰＳのおのおのの上部フランジ１５の下および下部フランジ１７の上に配置される。
【００２９】
図によって例示される変形例では、共振器１００は、実質的に管状の機械式アンクルストーン１６を含む入口アンクルＰＥおよび出口アンクルＰＳを備えられ、図３および図４に見られるように、これら磁気配置３０を形成するために、この上方および下方に磁石が追加されている。変形例では、磁石のすべてまたは一部は、少なくとも１つの連続した磁化またはピクセル化された面で置き換えられ得る。
【００３０】
磁気機械式脱進機の形状は、図３に詳細に示されている。
【００３１】
ガンギ車２０の磁石２３は、図４の図にしたがって、少なくとも１つのレベル、より詳細には２つのレベルで、車２０の上方および下方に配置された共振器によって運ばれる磁石との反発的な相互作用を有する。
【００３２】
図５乃至図１０によって例示されるシーケンスは、脱進機の機能を説明する。
【００３３】
摩擦のない補助アークの後、図５に見られるように、図の左部分にある入口アンクルＰＥにおいて、図６に見られるように、入口アンクルＰＥにおけるロック解除がある。
【００３４】
次に、図７に見られるように、ガンギ車２０は、維持トルクの効果により、矢印の方向に回転し始め、磁気的な反発により、その衝撃を、図の右部分に位置する出口アンクルＰＳに伝達する。
【００３５】
次に、特定の変形例では、図８に見られるように、ガンギ車２０と出口アンクルＰＳとの間の衝突タイプの機械的な接触は、反動を減衰させる。この衝突は有用であるが、脱進機の適切な動作に不可欠ではない。実際、衝突が発生しない同様の脱進機を作成することは可能である。このような小さな制御された衝突によって提供される利点は、エネルギの一部を消散させ、ガンギ車２０の反動を制限することである。また、通常の動作では、この衝突は、脱進機の動作中、聴くことが可能な唯一の機械的な接触であるため、この衝突には、動作の音響測定を可能にするという利点を有することに注目する必要がある。ガンギ車の反動を制限することにより、同じ空間内でガンギ車２０の歯の数を増やす可能性があるという別の利点が得られる。
【００３６】
この起こり得る機械的な接触の後、図９に見られるように、磁石２３とガンギ車２０と磁気アンクルとの間の磁気的な反発は、ガンギ車２０のわずかな反動を生成するため、図１０に見られる出口アンクルＰＳの補助アークは、摩擦のない方式で発生する。ここで「摩擦のない」とは、明らかに空気との摩擦が残っているため、ガンギ車２０と共振器１００との間に機械的な接触がないことを意味する。
【００３７】
図１１乃至図１６に例示されるように、出口アンクルのロック解除後、同様のシーケンスは入口アンクルで発生する。
−  図１１：摩擦のない補助アーク。
−  図１２：出口アンクルＰＳのロック解除。
−  図１３：ガンギ車の前進と入口アンクルＰＥにおける衝撃。
−  図１４：入口アンクルにおける衝突。
−  図１５：ガンギ車のわずかな反動。
−  図１６：摩擦のない補助アーク。
【００３８】
磁気アンクルと呼ばれ得るアンクルの磁気配置３０の設計を理解するために、図１７に見られるように、共振器１００の基準フレームにおいて、ガンギ車２０の歯２２によって運ばれる、好ましくは円筒形の磁石２３の軌道Ｔを表すことが有用であり、数値シミュレーションから得られるこの曲線は、対応するアンクルＰＥまたはＰＳに対して磁石２３の中心の正確な軌道Ｔをたどる。
【００３９】
入口アンクルＰＥを考慮すると、図１７における軌道Ｔの左への最低点は、図１４の衝突に対応する極値に到達する前に、磁石２３は右に曲がる上向き曲線を横断する図１３の相対位置に対応し、左へ向かう上方への曲げは、図１５の反動に対応し、アンクル自体と同様に、機械式アンクルストーン１６と同様に、共振器１０の振動軸ＯＲの中心にある上向きの軌道は、図１６の摩擦のない補助アークに対応し、この補助アークは、特に、図６におけるように入口アンクルＰＥの右のロック解除で下向きに戻る前に、図５に対応する高い位置にある図に例示されるものよりも長くなり得る。もちろん出口アンクルＰＳに関する軌道も同様である。図１７は、磁気配置３０に備えられた磁気パッド３２と反発的に協働し、衝撃を与える磁石２３を示す。
【００４０】
これは、図１８乃至図２１にしたがって、磁気アンクルの機能領域を識別することを可能にする。図１８における入口アンクルＰＥ、または図２０における出口アンクルＰＳでは、
−  第１の衝撃領域ＺＰ、
−  衝突領域ＺＣ、
−  摩擦のない補助アーク領域ＺＡ、
−  ロック解除および第２の衝撃領域ＺＤ、は区別され得る。
【００４１】
これらの図１８および図２０は、磁気配置３０が、アンクルＰＥまたはＰＳと実質的に同心の磁気障壁３１、および共振器１０の振動軸ＯＲの周りにその機械式アンクルストーン１６を必然的に含むことを示す。補助アークに対応する軌道Ｔの部分と、この磁気障壁３１、または複数ある場合は、各磁気障壁３１の間に、ある一定の距離が存在する。そのような各磁気障壁３１は、ガンギ車２０の磁石２３とともに、歯２２と、関連するアンクルＰＥまたはＰＳとの間のあらゆる接触、したがって、通常の動作におけるあらゆる摩擦を回避することを可能にする。当然のことながら、腕時計は、たとえば、一方において、アンクルＰＥまたはＰＳの機械式アンクルストーン１６と、他方において、ともに安全停止機能を提供する歯２２との間に落とされた場合における衝撃の際に、機械的な接触が発生する可能性があり得る。
【００４２】
機械的な配置３０は、これら同じ図の変形例において、本発明による発振器３００が少なくとも磁気障壁３１を含む限り、以下に記載する磁石または磁化領域のすべてまたは一部で動作できるため、完全に非限定的な配置を含む。
−  共振器１０の振動軸ＯＲの周りに少なくとも１つの実質的に円筒形の磁石を含む少なくとも１つの磁気障壁３１。
−  好ましくは磁気テール部３３によって補完された、少なくとも１つの磁気パッド３２。
−  等時性を補正するための少なくとも１つの強磁性のまたはわずかに磁化された領域３４。
【００４３】
図２５は、図３と同様に、共振器３の入口アンクルＰＥおよび出口アンクルＰＳの磁気障壁３１と、ガンギ車２０の包絡線を形成し、脱進軸ＯＥを中心とする第２の円ＣＥとが続く、共振器の軸ＯＲを中心とする第１の円ＣＯの交点によって定義される入口点Ｅおよび出口点Ｓを表す状況図である。共振器３の入口アンクルＰＥおよび出口アンクルＰＳは、それぞれ入口Ｅと出口Ｓで移動する。図２５は、入口Ｅおよび出口Ｓにおいて、この第１の円ＣＯと、この第２の円ＣＥとに対する接線に向けられた基本方向を定義する。
−  Ｄ１＋：脱進軸ＯＥに向けられた入口における入口アンクルへの接線。
−  Ｄ１−：Ｄ１＋と反対方向の、入口点における入口アンクルへの接線。
−  Ｄ２＋：車２０の回転方向に向けられた、入口点における車２０への接線。
−  Ｄ２−：Ｄ２＋と反対方向の、入口点における車２０への接線。
−  Ｄ３＋：脱進軸ＯＥに向けられた出口における入口アンクルへの接線。
−  Ｄ３−：Ｄ３＋と反対方向の、出口点における入口アンクルへの接線。
−  Ｄ４＋：車２０の回転方向に向けられた、出口点における車２０への接線。
−  Ｄ４−：Ｄ４＋と反対方向の、出口点における車２０への接線。
【００４４】
本発明によるこの脱進機機構の配置は、１つまたは複数の機能領域、すなわち、
−  磁気障壁３１の周囲、または複数ある場合は各磁気障壁３１の周囲に、すべての場合に存在する第１の磁気障壁領域Ｚ１、
−  磁気パッド３２の周囲、または複数ある場合は各磁気パッド３２の周囲の第２の自己起動改善領域Ｚ２、
−  存在する場合は第２の領域Ｚ２のすぐ近く、または、第２の領域Ｚ２との少なくとも部分的な重ね合わせにおいて衝撃が生成される領域、および第１の磁気障壁領域Ｚ１、すなわち各第１の領域Ｚ１、
−  共振器１００の等時性を補正するための領域である第３の領域Ｚ３、を定義する。
【００４５】
好適には、排他的ではなく、図に例示されるように、入口アンクルＰＥの場合、
−  第１の磁気障壁領域Ｚ１は、図１９に見られるように、補助アーク中に車２０の歯２２が静止する機械式アンクルストーンの全長にわたって、機械式アンクルストーンの上方および／または下方に延びる共振器１００の回転軸ＯＲを中心とする環状セクタであり、
−  第２の自己起動改善領域Ｚ２は、車２０の回転軸ＯＥを中心とする環状セクタであり、実質的に方向Ｄ２＋およびＤ２−に延びており、少なくとも、アンクルストーンの衝撃面を覆うために、機械式アンクルストーンの端部の上方および／または下方を通過し、
−  第３の等時性補正領域Ｚ３は、第１の磁気障壁領域Ｚ１および第２の自己起動改善領域Ｚ２によって区切られ、補助アーク中にアンクルに静止している車２０の歯２２の磁石２３の上方および／または下方を覆うために、方向Ｄ２−およびＤ１−に延びる。
【００４６】
同様に、出口アンクルＰＳの場合、
−  第１の磁気障壁領域Ｚ１は、図２１に見られるように、補助アーク中に車２０の歯２２が静止する機械式アンクルストーンの全長にわたって、機械式アンクルストーンの上方および／または下方に延びる共振器１００の回転軸ＯＲを中心とする環状セクタであり、
−  第２の自己起動改善領域Ｚ２は、車２０の回転軸ＯＥを中心とする環状セクタであり、実質的に方向Ｄ４＋およびＤ４−に延びており、少なくとも、アンクルストーンの衝撃面を覆うために、機械式アンクルストーンの端部の上方および／または下方を通過し、
−  第３の等時性補正領域Ｚ３は、第１の磁気障壁領域Ｚ１および第２の自己起動改善領域Ｚ２によって区切られ、補助アーク中にアンクルに静止している車２０の歯２２の磁石２３の上方および／または下方を覆うために、方向Ｄ４−およびＤ３−に延びる。
【００４７】
第１の磁気障壁領域Ｚ１は不可欠であり、ガンギ車２０の歯２２をはね返す機能を有し、したがって、機械的な接触を排除し、補助アークが摩擦なしに発生するようにする。この第１の磁気障壁領域Ｚ１は、多少強力であり得るが、共振器１０の振動軸ＯＲを中心とする円のアークに従う必要がある。ガンギ車２０の歯と、アンクルＰＥおよびＰＳの機械式アンクルストーン１６との間の機械的な衝突を回避することを望むのであれば、障壁の強度を高めることが可能である。または、逆に、衝突後のガンギ車２０の反動を最小限に抑えたいのであれば、障壁の強度を下げることが可能である。この磁気障壁３１のみを備える機構は、磁気シリンダ脱進機の変形であり、これは、ＮＩＶＡＲＯＸ−ＦＡＲの欧州特許ＥＰ２８８９７０４Ｂ１号における改良を表す。
【００４８】
第２の自己起動改善領域Ｚ２の磁気パッド３２はオプションである。これは、磁気的な反発による起動の瞬間に、ガンギ車２０と、アンクルＰＥまたはＰＳの機械式アンクルストーン１６の端部との間の摩擦を低減するために有利に追加される。これは、自己起動機能を大幅に改善する。磁気パッド３２の長さおよび形状の両方が調整されて、自己起動機能が最適化される。
【００４９】
この磁気パッド３２は別の効果も有する。ガンギ車２０の磁石が、磁気パッドの近くを通過するとき、磁気的な反発があり、これは衝撃を共振器１００に伝達し、効率を大幅に改善する。
【００５０】
好ましくは、磁気パッド３２は少なくとも１つの磁石を含み、ガンギ車２０に最も近い磁気障壁３１の遠位端に実質的に垂直に、磁石２３と、関連するアンクルＰＥまたはＰＳの磁気配置３０との間で協働する入口側に延び、磁気障壁３１と逆大文字Ｌを形成する。この磁気パッド３２は、必ずしも真っ直ぐである必要はなく、わずかに湾曲していてもよい。
【００５１】
例示されていない変形例では、磁気障壁３１の反対側の遠位端において、ガンギ車の反対側に磁気ラグを含み、衝撃が生成される領域を拡張することができる。より具体的には、この磁気ラグは、入口アンクルＰＥに関して方向Ｄ２−における遠位端に位置し、出口アンクルＰＳに関して方向Ｄ４−における遠位端に位置する。さらに詳細には、この磁気ラグは、入口アンクルＰＥに関して方向Ｄ１−に、および出口アンクルＰＳに関して方向Ｄ３−に延びている。例示されていない別の変形例では、磁気パッド３２は、方向Ｄ２＋に、それぞれＤ４＋に延びている。
【００５２】
第２の自己起動改善領域Ｚ２は、衝撃が生成される領域と必ずしも同一ではないことに注目されたい。これは、自己起動機能に影響を与えることなく衝撃が調整され得ることを意味する。
【００５３】
入口アンクルＰＥに関して、図１８は、車２０の磁石２３が、磁気パッド３２と２回相互作用することを示し、まず、磁石２３が第１の衝撃領域ＺＰに移動すると、磁石２３は磁気パッド３２をはね返し、したがって第１の衝撃を共振器１００に伝達し、その後、磁石２３がロック解除および第２の衝撃領域ＺＤに移動すると、磁気パッド３２は、反発のために、通過されるべき一種のパスを形成し、軌道Ｔ上の磁石２３の高い速度によって、磁石２３はこのパスを容易に通過できるようになる。パスを通過した直後に、車２０が回転し始め、第２の衝撃が、その後、共振器１００に伝達される。出口アンクルＰＳに関して、図２０の第１の衝撃領域ＺＰの位置では、磁石２３と磁気パッド３２との間の反発力が、共振器１００に第１の衝撃を与え、入口アンクルで発生するのと同様に、ロック解除および第２の衝撃領域ＺＤへのパスを通過した後に第２の衝撃が伝達される。
【００５４】
有利な変形例では、磁気パッド３２は、実質的に整列しており、磁気障壁に対して反対側、すなわち、入口アンクルＰＥに関して方向Ｄ２＋、および出口アンクルＰＳに関して方向Ｄ４＋にある磁気テール部３３によって補完される。この磁気テール部３３は、軸から力をそらし、ガンギ車２０の磁石２３を接線方向に駆動する傾向があり、摩擦力に抵抗し、反発力がアンクルの端部まで続くことを保証する。この磁気テール部３３はまた、運動全体においても有用である。なぜなら、出口アンクルＰＳに配置された磁気テール部３３は、ガンギ車２０の次のアーム２１が、このエリアにおける入口への移動中に克服されるべきしきい値に従わない入口アンクルＰＥの磁気配置３０と協働して十分に係合していることを保証するからである。
【００５５】
有利なことに、磁気パッド３２、および前記パッドを延長する磁気テール部３３の全長は、ガンギ車２０の軌道の包絡線である円ＣＥ上の歯２２の端部の半ピッチに近い。
【００５６】
特定の実施形態では、磁気テール部３３は、前記磁気パッド３２から離れるにつれて、車２０の回転軸ＯＥからの半径が増加するように配置される。
【００５７】
特定の実施形態において、磁気テール部３３は、図１８および図２０に見られるように、減少するステップの形式で作成される。
【００５８】
より具体的には、第１の衝撃を与えるために、磁気パッド３２の総曲線長さは、磁気テール部３３のものよりも大きく、パッド／テール部アセンブリは、方向Ｄ２＋ではなく方向Ｄ２−で入口までさらに延び、パッド／テール部アセンブリは、方向Ｄ４＋ではなく方向Ｄ４−で出口までさらに延びる。
【００５９】
そのような磁気パッド３２を磁気障壁３１に追加することは、自己起動機能のために有利であり、磁気パッドがない場合、ガンギ車は、特定の構成で、アンクルＰＥまたはＰＳの機械式アンクルストーン１６の遠位端の機械式アバットメントに移動でき、ガンギ車２０で利用可能な低トルクは、摩擦に打ち勝つために不十分である。したがって、磁気パッド３２の利点は、自己起動中に機械式アンクルストーン１６の端部での摩擦力を低減することであり、これにより通常の自己起動が可能になる。
【００６０】
数値シミュレーションは、必要に応じて第２の自己起動改善領域Ｚ２の近くに磁石を追加することにより、効率をさらに高めることが可能であることを示す。
【００６１】
しかしながら、公称振幅に達したときに効率を上げる必要はもはやない。したがって、衝撃を最適化するために必要な磁石の量は、使用される共振器１００とその品質係数に依存する。品質係数が低い場合、より多くの磁石が追加される。品質係数が高い場合、より少数しか追加されない。
【００６２】
補助アークは摩擦なしで発生するため、最初の衝突を除いて、機械式アンクルストーン１６の形状を最適化して損失を最小限に抑え、自己起動をサポートすることができる。特に、アンクルの端部（衝撃面）は、自己起動機能をサポートするように最適化されるが、選択した角度ではもはや、静止動作で衝撃は伝達されない。さらに、アンクルの機械式アンクルストーン１６は、共振器の回転軸を中心とする円のアークである必要はない。図１８から図２１を検討すると、機械的接触領域ＺＣにおいて、アンクルの機械式アンクルストーン１６がプロファイル３０１上で修正され、てん輪における衝突の効果を最小化することがわかる。接触力サポートが回転中心を通過するように、この領域の角度は調整される必要がある。この接触領域を傾斜させることも可能であり、これによって、衝突は、慣性質量１にエネルギを伝達し、結果として効率を向上する。このプロファイル３０１は、傾斜面、または図のように先細の中空プロファイルであり、図の表現においてアンクルにかかる応力を下向きにずらすことができるため、この応力を形成する２つの力の結果、およびアンクルに対する上向きの接線方向の摩擦力は、共振器１０の振動軸ＯＲを通過する。同様に、磁気障壁３１は、磁化の同様の変動を含み得る。
【００６３】
また、オプションであるが、有利なことに、脱進機機構２００によって引き起こされる共振器１００の非等時性を調整するために、第３の等時性補正領域Ｚ３に、小さな磁石（低相互作用）が追加される。この目的は、この誘導された非等時性を、共振器１００のものによって補償し、全発振器３００が完全に等時性になるようにすることである。これらの磁石の量と位置は、所望の効果が得られるまで繰り返し調整される。変形例では、ガンギ車２０の歯２２の磁石２３と弱く協働する単純な強磁性面であってもよい。この第３の領域Ｚ３は、ガンギ車２０の歯２２の観点から、第１の磁気障壁領域の上流に延びている。言い換えれば、この第３の領域Ｚ３は、共振器の振動軸ＯＲに対して、磁気障壁領域Ｚ１を超えて、ガンギ車２０の回転軸ＯＥに対して、アンクルの遠位端を超えて延びており、磁気配置３０が第２の領域Ｚ２および関連する衝撃領域を定義する磁気パッド３２を含む場合、第３の領域Ｚ３は、ガンギ車２０の回転軸ＯＥに対して、第２の領域Ｚ２を超えて配置される。
【００６４】
機械式安全機能を確保するために、共振器１００がその静止位置にあるとき、共振器１００によって運ばれる機械式アンクルストーン１６は、ガンギ車２０の歯を貫通する。深さｐ１およびｐ２の値は、図２２に表される。この図は、ガンギ車２０の軌道の包絡線である円ＣＥを示す。共振器１０の振動軸ＯＲからの放射状の線から測定される深さｐ１およびｐ２は、バレルが完全に排出されるときのガンギ車２０の無制限の回転を防止するので、安全上の理由で必要とされる。たとえば、４０マイクロメートルである深さの値は、共振器１０の振動軸ＯＲと、ガンギ車２０の軸ＯＥとの間の中心距離に関する誤差、または単に製造公差の影響を吸収するので、この安全機能を保証する。
【００６５】
深さｐ１およびｐ２が与えられると、起動時に、ガンギ車２０に加えられるトルクは、歯が通過できるように共振器１００をその静止位置から押し出すのに十分でなければならない。これにより、共振器がたわみ軸受に取り付けられている場合、自己起動機能を困難にし得る。アンクルに磁気パッド３２を追加すると、２つの理由で自己起動機能は大幅に向上する。第１に、磁気的な反発力は、歯とアンクルの端との間の摩擦を減らす効果を有する。一方、この反発力は、歯が通過できるように、適切な側で共振器の静止位置をシフトする。その結果、発振器は、ほとんどの有効トルク範囲で自己起動する。
【００６６】
脱進機の非等時性を調整し、共振器１００の非等時性による補償を達成するために、第３の等時性補正領域Ｚ３の磁石の効果は、慣性質量１の低い外乱を生成することである。この非等時性補正は必須ではないが、使用される共振器のタイプによっては有利であることが分かり得る。
【００６７】
この強磁性または弱磁化領域３４を作成するために、図１から図２２の非等時性補正器のように磁石ピクセルを規則的に配置する代わりに、第３の領域Ｚ３に、レーザなどによって厚さが調整される非常に薄い連続磁石層が配置される変形を想定することが可能である。
【００６８】
別の変形例が図２３に示され、この図では、第３の領域Ｚ３において、磁気障壁３１に２つの小さな突起３４１のみが存在する。これらは、非等時性補正のために必要な外乱を生成するのに十分である。
【００６９】
非等時性補正器が、入口アンクルＰＥにのみ配置されるさらに別の変形例が、図２４に図示される。非等時性補正器を、出口アンクルＰＳに配置することも可能である。
【００７０】
別の変形例では、非等時性補正器は、上部フランジ１５の磁気アンクルのみ、または下部フランジ１７の磁気アンクルのみに配置され得る。
【００７１】
また、上側の第３の領域Ｚ３の磁石と、下側の第３の領域Ｚ３の磁石との間の距離を変えることによって、非等時性が調整され得る変形を想定することも可能である。これは、ガンギ車２０の磁石２３が第３の領域Ｚ３にあるときに、ガンギ車２０の磁石２３によって受ける磁場の強度を変動させる効果を有する。
【００７２】
変形例では、第３の領域Ｚ３は、犠牲的な超過量の鉄または磁石を含み、この犠牲的な超過量は、その等時性を回復するために、完全な発振器３００の非等時性の測定の結果にしたがって、少なくとも部分的に選択的に除去されるように配置される。
【００７３】
より具体的には、第３の領域Ｚ３に磁石ピクセルの余剰で磁気配置３０が作成され、その後、非等時性が測定されると、選択的なレーザアブレーションによって、過剰な磁石を除去することができる。
【００７４】
第３の領域Ｚ３に可変厚の強磁性プレートを含む変形では、相互作用は、反発力ではなく引力で発生する。
【００７５】
したがって、本発明は、さまざまな構成で達成することができるが、常に第１の磁気障壁領域Ｚ１と、限定されないが特に以下を伴う。
−  １つの磁気パッド３２のみを備えた第１の磁気障壁領域Ｚ１および第２の自己起動改善領域Ｚ３。
−  磁気パッド３２および磁気テール部３３を備えた第１の磁気障壁領域Ｚ１および第２の自己起動改善領域Ｚ３。
−  第１の磁気障壁領域Ｚ１および第３の等時性補正領域Ｚ３。
−  １つの磁気パッド３２のみを備えた第１の磁気障壁領域Ｚ１、第２の自己起動改善領域Ｚ２、および第３の等時性補正領域Ｚ３。
−  磁気パッド３２および磁気テール部３３を備えた第１の磁気障壁領域Ｚ１、第２の自己起動改善領域Ｚ２、および第３の等時性補正領域Ｚ３。
【００７６】
当然のことながら、共振器１００のアンクル上に個々の磁石を配置することからなる、上述した本発明の技術的反転を行い、前述した同じ磁気障壁効果、磁気パッド、衝撃、および非等時性補正器を生成するために、より複雑な磁気構造をガンギ車２０に配置することが可能である。
【００７７】
隔離された磁石をガンギ車の上に備えた、前述および例示されたバージョンは、ガンギ車２０の慣性を最小化するという利点があることに注目されたい。これは、発振器３００が、腕時計の通常の使用中に一般的である外部加速度を受けたときに、脱進機の適切な動作を保証するため、および、摩耗中の優れた抵抗を保証するために重要である。
【００７８】
本発明は、少なくとも１つのそのような発振器３００を含む計時器ムーブメント５００に関する。
【００７９】
本発明はまた、少なくとも１つのそのようなムーブメント５００および／または１つのそのような発振器３００を備えた腕時計１０００に関する。
【符号の説明】
【００８０】
１  慣性質量
２  質量
３  固定構造
４  質量
５  中間体
６  剛性ビーム
７  横方向の可撓性ストリップ
８  長手方向の可撓性ストリップ
９  剛性ビーム
１１  てん輪
１２  プレート
１３  プレート
１５  上部フランジ
１６  機械式アンクルストーン
１７  下部フランジ
１８  上部ボア
１９  下部ボア
２０  ガンギ車
２１  アーム
２２  機械式端歯
２３  磁石
３０  磁気配置
３１  磁気障壁
３２  磁気パッド
３３  磁気テール部
３４  弱磁化領域
１００  共振器
１０１  慣性ブロック
２００  脱進機機構
３００  計時器発振器
３０１  プロファイル
３４１  突起
５００  計時器ムーブメント
１０００  腕時計
ＣＥ  第２の円
ＣＯ  第１の円
Ｄ１  入口の半径方向
Ｄ２  入口の接線方向
Ｄ３  出口の半径方向
Ｄ４  出口の接線方向
Ｅ  入口
ＯＥ  脱進軸
ＯＲ  振動軸
ｐ１  深さ
ｐ２  深さ
ＰＥ  入口アンクル
ＰＳ  出口アンクル
Ｓ  出口
Ｔ  軌道
Ｚ１  第１の磁気障壁領域
Ｚ２  第２の自己起動改善領域
Ｚ３  第３の等時性補正領域
ＺＡ  補助アーク領域
ＺＣ  衝突領域、機械的接触領域
ＺＤ  第２の衝撃領域
ＺＰ  第１の衝撃領域
【図１】
2020046426.tif 000003
【図２】
2020046426.tif 000004
【図３】
2020046426.tif 000005
【図４】
2020046426.tif 000006
【図５】
2020046426.tif 000007
【図６】
2020046426.tif 000008
【図７】
2020046426.tif 000009
【図８】
2020046426.tif 000010
【図９】
2020046426.tif 000011
【図１０】
2020046426.tif 000012
【図１１】
2020046426.tif 000013
【図１２】
2020046426.tif 000014
【図１３】
2020046426.tif 000015
【図１４】
2020046426.tif 000016
【図１５】
2020046426.tif 000017
【図１６】
2020046426.tif 000018
【図１７】
2020046426.tif 000019
【図１８】
2020046426.tif 000020
【図１９】
2020046426.tif 000021
【図２０】
2020046426.tif 000022
【図２１】
2020046426.tif 000023
【図２２】
2020046426.tif 000024
【図２３】
2020046426.tif 000025
【図２４】
2020046426.tif 000026
【図２５】
2020046426.tif 000027
【図２６】
2020046426.tif 000028
【外国語明細書】
2020046426000001.pdf